(57)【特許請求の範囲】
【請求項１】
設定したモードでの試し画像形成機能を有する画像形成装置において、
原稿を搬送して読み取ることにより画像情報を入力する手段と、
前記試し画像形成機能が設定されたとき、入力された画像情報を記憶する手段と、
前記試し画像形成機能の実行開始位置を指定する手段と、
前記指定する手段によって指定された開始位置により指定される範囲が原稿内に収まるかどうかを判断する手段と、
前記指定する手段によって指定された位置から所定長さの範囲の画像形成を行う手段と、
前記試し画像形成機能において画像が出力された後、前記設定したモードを変更し、異なるモードで再度試し画像形成機能を実行する手段と、
を備え、
前記画像形成を行う手段は前記記憶する手段に記憶された画像情報を使用して前記指定された位置から所定長さの範囲の試し画像を形成する
ことを特徴とする画像形成装置。
【請求項２】
給紙ロールからロール紙を供給する手段と、
前記ロール紙を供給する手段から供給されるロール紙を所定の長さにカットする手段を、を備え、
前記試し画像形成機能を設定した場合、前記画像形成を行う手段は、入力された画像情報の指定された画像開始位置から最小搬送距離分の画像だけを、前記カットする手段によってカットされた用紙に１回のみ形成することを特徴とする請求項１記載の画像形成装置。
【請求項３】
前記試し画像形成機能を再度設定した場合、前記再設定されたモードが読み込み時のみ処理可能なモードの変更を伴うときには、再度原稿を読み取ることを特徴とする請求項１又は２記載の画像形成装置。
【発明の詳細な説明】
【０００１】
【発明の属する技術分野】
本発明は、試しコピー機能および／または画像確認機能を備えた画像形成装置に関する。
【０００２】
【従来の技術】
近年、画像形成装置では、アナログ画像形成装置からデジタル画像形成装置へ急速に切り替わり、事務機はデジタル画像形成装置が主流になっており、プリンタ等の融合も行われている。図面等広幅のコピーを必要とする分野においてもデジタル化は進んでおり、事務機に搭載されている機能は広幅機にも搭載され、益々多機能化が進んでいる。事務機でコピーする対象原稿は一般文章物が多く、コピーの画質以外にも生産性が高く必要とされるのに対し、広幅機ではコピー対象原稿としては図面が多く、事務機以上にコピー画質、生産性を必要とされている。すなわち、広幅機では、原稿に対するコピーの倍率精度、画質が高く要求される。また、事務機の様なカット紙を使用する代わりにロール紙を使用することもあり、１枚当たりの単価も高くなっている。
【０００３】
そこで、ミスコピーを低減するための機能として試しコピーなる機能を搭載した機種も存在している。但し、現在存在している試しコピーの機能は事務機用と広幅機用では大きく異なっており、事務機用では生産性の確認を重点としてソートモード等での多部数の指定に対して、１部当たりの仕上がり具合を確認するための機能（特開平５−１０７８５２）であったり、ステープル位置を確認するための試しコピー（特開平８−８７２０５）である。
【０００４】
【発明が解決しようとする課題】
このように従来の事務機用の画像形成装置では、前記特開平５−１０７８５２号公報開示のように生産性の確認を重点としてソートモード等での多部数の指定に対して、１部当たりの仕上がり具合を確認するために、あるいは、前記特開平８−８７２０５号公報開示のように、ステープル位置を確認するためのものであるが、広幅機では画質を確認するための試しコピー機能が要求されている。
【０００５】
また、従来の広幅機での試しコピーは原稿画像の先端部から一定画像範囲のみしか行われておらず、ユーザが確認したい部分を指定しての画像確認をすることはできなかった。そのため、前記一定画像範囲内に確認したい部分が入っていない場合には、１枚全部コピーして画像確認するしか方法がなかった。
【０００６】
本発明は、このような従来技術の実情に鑑みてなされたもので、その目的は、原稿画像をコピーする場合に、画像仕上がり具合を確認するため、ユーザが特に重点的に確認したい部分を指定して特定部分での画像仕上がりを確認することができる画像形成装置を提供することにある。
【０００７】
また、他の目的は、前記確認したい部分を指定して特定部分で画像仕上がりを確認する際に、操作ミスによるミスコピーを未然に防止することができる画像形成装置を提供することにある。
【０００８】
【課題を解決するための手段】
前記目的を達成するため、本発明は、設定したモードでの試し画像形成機能を有する画像形成装置において、原稿を搬送して読み取ることにより画像情報を入力する手段と、前記試し画像形成機能が設定されたとき、入力された画像情報を記憶する手段と、前記試し画像形成機能の実行開始位置を指定する手段と、前記指定する手段によって指定された開始位置により指定される範囲が原稿内に収まるかどうかを判断する手段と、前記指定する手段によって指定された位置から所定長さの範囲の画像形成を行う手段と、前記試し画像形成機能において画像が出力された後、前記設定したモードを変更し、異なるモードで再度試し画像形成機能を実行する手段とを備え、前記画像形成を行う手段は前記記憶する手段に記憶された画像情報を使用して前記指定された位置から所定長さの範囲の試し画像を形成するようにした。これによって、必要部分の画像形成結果の確認が行え、当該部分の画質の仕上がり具合が確認できる。その際、再度の入力や原稿の読み直しが不要になる。さらに、記憶した画像情報に基づいて異なるモードで画像形成し、出力することができる。
【０００９】
この場合、給紙ロールからロール紙を供給する手段と、前記ロール紙を供給する手段から供給されるロール紙を所定の長さにカットする手段を備え、前記試し画像形成機能を設定した場合、前記画像形成を行う手段は、入力された画像情報の指定された画像開始位置から最小搬送距離分の画像だけを、前記カットする手段によってカットされた用紙に１回のみ形成する。また、前記試し画像形成機能を再度設定した場合、前記再設定されたモードが読み込み時のみ処理可能なモードの変更を伴うときには、再度原稿を読み取るようにする。
【００１０】
また、前記指定する手段によって指定された開始位置により指定される範囲が原稿内に収まるかどうかを判断する手段を設けているので、画像形成外となる範囲など指定して画像形成しても仕上がりの判断として不適な場合に、無断な画像形成を行わないように処理することができる。
【００１１】
【発明の実施の形態】
以下、本発明の実施形態について図面を参照して説明する。
【００１２】
図１は本発明の実施形態に係る画像形成装置の構成を示す概略構成図である。同図を参照し、画像形成装置の構成を動作について概括的に説明する。
【００１３】
この画像形成装置では、モードを設定した後、原稿台１０２に原稿をセットすると原稿が搬送される。原稿の搬送途中のセンサ１２７で原稿サイズが検知すると、原稿サイズもしくは設定したモードにより第１の給紙ロール１０８、第２の給紙ロール１０９、または第３の給送ロール１１０のいずれかからロール紙が給紙される。第１の給紙ロール１０８の用紙は給紙搬送ローラ１１１、中間搬送ローラ１１６により給紙され、途中、ロールカッター１１４により所定の長さにカットされて搬送される。第２の給紙ロール１０９からも同様に給紙搬送ローラ１１２、中間搬送ローラ１１６により給紙され、途中のロールカッター１１４により所定の長さにカットされて搬送される。第３の給紙ロール１１０は給紙搬送ローラ１１３、中間搬送ローラ１１７により給紙され、途中ロールカッター１１５により所定の長さにカットされて搬送される。カットされた用紙は感光体１２０に当接する位置まで搬送される。
【００１４】
一方、原稿画像を読み込むスキャナにより読み込まれた画像データはレーザーによって感光体１２０に書き込まれ、現像ユニットを通過することによってトナー像が形成される。そして、転写紙は感光体１２０の回転と等速で搬送されながら、感光体１２０上のトナー像が転写される。その後、定着ユニット１２２で画像の定着が行われ、排紙口切り替え部１２３により直線排紙１２５または反転排紙１２４が選択され、いずれかの状態で排紙される。原稿も同様にして原稿の給紙口１０３から導入され、スキャナで読み込まれた後、原稿切り替え部１０５によって直線排紙１０７または反転排紙１０６が選択され、反転排紙１０６の場合には、原稿排紙台１０４に排紙される。また、符号１１８は給紙台であり、カット紙を供給する場合には、給紙ローラ１１９によって感光体１２０まで導かれる。なお、この実施形態では、原稿台１０２の上部（装置の最上部）に操作部１０１が設けられている。
【００１５】
このような構成の画像形成装置によって画像形成を行うまでの動作は以下のようになる。なお、ここでいう潜像とは感光体面上に画像を光情報に変換して照射することにより生じる電位分布を指す。
【００１６】
スキャナーユニットは原稿セット台１２６にセットした原稿を搬送することにより原稿画像をＣＣＤイメージセンサにより読み取り、電気信号に変換し所定の処理を実行する。書き込み部は電気信号に変換されて処理された原稿画像をＬＥＤヘッドにより感光体１２０上に集光画像として書き込む機能を備えている。偏光されたＬＥＤ光は感光体１２０が回転する方向と直行する方向（主走査方向）に走査され、後述する画像処理部のセレクタ７Ｂより出力された画像信号のライン単位の記録を行う。感光体１２０の回転速度と記録密度に対応した所定の周期で主走査を繰り返すことによって、感光体面上に画像（静電潜像）が形成される。
【００１７】
上述のように、書き込みユニットから出力されるＬＥＤ光が、画像作像系の感光体１２０に照射される。図示しないが感光体１−２０のＬＥＤヘッドにより照射される位置に、主走査同期信号を発生するセンサが配置されている。この主走査同期信号をもとに主走査方向の画像記録開始タイミングの制御、および後述する画像信号の入出力を行うための制御信号の生成を行う。
【００１８】
図２は前記操作部の正面図である。操作部１０１には、左側に液晶タッチパネル２０１、中央にテンキー２０２、右下にクリア／ストップキー２０６とプリントキー２０５、右上に初期設定キー２０３とモードクリアキー２０４が配置されている。液晶タッチパネル２０１には、図３に示すように、各モード設定キー、すなわち、自動濃度キー３０１、手動濃度キー３０２，３０３、自動用紙選択キー３０４、手動用紙選択キー３０５〜３１３、変倍キー３１４、試しコピーキー３１５などが配置され、メッセージ表示部３１６，３２０には部数（３１８、３１９）、倍率３１７及び画像形成装置の状態を示すメッセージなどが表示され、前記キーの操作により各画像形成モードの設定と解除を行うことができる。
【００１９】
図４は図３において試しコピーキー３１５を押下した場合の子画面ＬＣＤタッチパネルの表示状態を示す図である。同図において、４０１は試しコピーを開始したい部分の開始位置を指定するキー、４０２はその表示部、４０３は試しコピーモードを解除する場合の解除キー、４０４はモードを設定する場合の設定キー、４０５は開始位置を指定する場合に使用する０〜９のテンキー群、４０６は置数をクリアする場合に使用するクリアキー、４０７は置数を確定する場合のエンターキーである。
【００２０】
図５はメインコントローラ（ＭＣＵ）５０１を中心に設けられた制御回路のブロック図である。同図において、制御回路は、画像形成装置全体を制御するＭＣＵ５０１と、ＭＣＵ５０１に接続され、オペレータに対する表示、オペレータからの機能設定入力制御を行う前述の操作部１０１（５０３）、スキャナ制御部５０７、原稿画像を画像メモリに書き込む制御、画像メモリからの作像を行う制御等を行う画像処理ユニット（ＩＰＵ）５０２、後処理制御装置である紙折り５０８等の分散制御装置とから主に構成され、また、紙搬送等に必要なメインモータ、各種クラッチもＩ／Ｏボード５０６を介して接続され、ＭＣＵ５０１によって制御される。なお、操作部５０３には、ＬＣＤ（液晶表示部）５０４とキー入力部５０５が接続されている。なお、前記各分散制御装置とＭＣＵ５０１は必要に応じて機械の状態、動作指令のやりとりを行っている。なお、スキャナ制御部５０７には原稿サイズ検知センサ５０９が接続され、検知した原稿サイズがこのセンサ５０９から入力される。
【００２１】
前記画像処理部（ＩＰＵ）５０２の構成を図６のブロック図に詳細に示し、同図を参照して画像処理部５０２について説明する。
【００２２】
露光ランプから照射された光は原稿面を照射し、原稿面からの反射光を、ＣＣＤイメージセンサ６０１にて結像レンズ（図示せず）により結像、受光して光電変換し、Ａ／Ｄコンバータ６０２にてデジタル信号に変換する。デジタル信号に変換された画像信号は、シェーディング補正部６０３でシェーディング補正が施された後、第１の画像処理部６０４でフィルタ補正、変倍色データ膨張、γ補正等がなされる。第２の画像処理部６０５では、画像信号の送り先を、画像メモリコントローラ（ＭＳＵ）６０６または書き込みユニット６１０への切り替えが行われる。画像メモリコントローラ（ＭＳＵ）６０６と画像処理部６０５は、双方向に画像信号を入出力可能な構成となっている。なお、図６には特に明示していないが、画像処理部（ＩＰＵ）５０２には、ＣＣＤ６０１から入力される画像データ以外にも外部から供給される画像データ（例えばパーソナルコンピュータ等のデータ処理装置から出力されるデータ）も処理できるよう、複数のデータの入出力の選択を行う機能を有している。
【００２３】
さらに、画像メモリコントローラ６０６等への設定や、ＣＣＤ６０１、書き込みユニット６１０の制御を行うＣＰＵ６０７、そのプログラムやデータを格納するＲＯＭ６０９、およびＣＰＵ６０７のワークエリアとして機能するＲＡＭ６８を備えている。ＣＰＵ６０７は、画像メモリコントローラ６０６を介して、後述の画像メモリ８０３へのデータの書き込み、および読み出しを行うことができる。なお、ＣＰＵ６０７には、ＡＰＳ（自動電源供給装置）６１１も接続されている。
【００２４】
図７は図６における第２の画像処理部６０５の内部構成を示すブロック図である。第２の画像処理部６０５は、スキャナマスク部７０１、色変換部７０２、色消去部７０３、ビット反転部７０４、印字合成部７０５、印字コア部７０６、ＲＯＭ７０７、ＲＡＭ７０８、ＭＳＵ合成部７０９、画像データ選択部７１０および画質コア部７１１からなる。このように構成すると、第２の画像処理部６０５は前段の第１の画像処理部６０４から画像処理された画像データを読み込むときに、領域をマスクするスキャナマスク部７０１を介してモードに応じて色変換が必要な場合は、色変換処理部７０２で色変換処理を、色消去部７０３で色消去処理を、ビット反転部７０４でで画像反転処理を、ページや、日付け、特殊文字等を印字合成して画像データを無条件に画像メモリコントローラ６０６にて保存する。印字コア部７０６はページ印字のページを作成したり、スタンプ文字等、文字コードを取り出して印字を作成し、印字イメージデータを発生する装置である。ＲＯＭ７０７、ＲＡＭ７０８は印字制御に関与している。また、画像データ選択部７１０は、前記スキャナマスク部７０１から印字合成部７０５の間で処理をした画像信号をスルーで画質コア部７１１に出力するか、画像メモリコントローラ６０６からの画像データを画質コア部７１１に出力するか、画像処理された画像データに対して画像メモリコントローラ６０６からの画像を合成した画像データを画質コア部７１１に出力するかを選択する。
【００２５】
図８は図７における画像メモリコントローラ６０６と、画像メモリ８０３の詳細を示す図である。画像メモリコントローラ６０６は、１次圧縮部８０１及び１次伸張部８０２、１次画像データの保存メモリである画像メモリＤＲＡＭ８０３、（バンクＡ８０４、バンクＢ８０５）、２次圧縮／伸張部８０６、大容量メモリであるＨＤＤ８０７（ハードディスクドライブ）、伸張された登録画像の画像倍率を変更する変倍部８０８の各ブロックからなる。各ブロックへの制御データの設定はＣＰＵ６０７より行われる。
【００２６】
画像メモリは、１次および２次記憶装置（ＤＲＡＭ８０３、ＨＤＤ８０７）からなる。１次記憶装置８０３は、メモリの指定した領域へのデータ書き込み、または画像出力時のメモリの指定した領域からのデータ読み出しが画像データの入力／出力時に要求されるデータ転送速度に略同期して行えるように、例えばＤＲＡＭ等の高速アクセスが可能なメモリを使用する。また、１次記憶装置８０３は、処理を行う画像データの大きさにより複数のエリアに分割して（この例ではバンクＡ８０４，Ｂ８０５）画像データの入出力を同時に実行可能な構成（メモリコントローラ６０６とのインターフェース部）を有している。
【００２７】
２次記憶装置８０７は、入力された画像の合成、ソーティングを行うためにデータを保存しておく大容量のメモリである。２次記憶装置８０７においても、前記１次記憶装置８０３と同様に、画像入出力時に要求されるデータ転送速度に略同期してデータの書き込み／読み出しが可能である。ここでは、前述のようにＨＤＤが使用されている。
【００２８】
次に、画像メモリコントローラ６０６の動作例について説明する。
【００２９】
［１］画像入力（画像メモリへの保存）
図８において、前段の第１の画像処理部６０４で画像加工された画像データ８Ｖ１は無条件にＭＳＵ合成部７０９に供給され、既に画像メモリに保存されているデータとの合成を行う。ＭＳＵ合成部７０９によって処理された画像データ８Ｖ２は、１次圧縮部８０１／伸張部８０２によりデータが圧縮され、圧縮後のデータを１次記憶装置８０３に書き込むと同時に２次圧縮／伸張部８０６で更に圧縮を行った後にＨＤＤ８０７に保存される。
【００３０】
［２］画像出力（画像メモリからの読み出し）
図９において、画像出力時は、１次記憶装置８０３に記憶されている画像データの読み出しを行う。出力対象となる画像が１次記憶装置８０３に格納されている場合には、１次圧縮部８０１／伸張部８０２で１次記憶装置８０３の画像データの伸張を行い、伸張後のデータ、もしくは伸張後のデータと入力データとの画像合成を行った後のデータを出力する。この際、変倍部８０８で伸張後の画像の倍率の変更ができるようにしている。ＭＳＵ合成部７０９は、１次記憶装置８０３の画像データと、入力データ８Ｖ１との合成（画像データの位相調整機能を有する）、合成後の画像データの出力先の選択（画像出力、１次記憶装置８０３へのライトバック、両方の出力先への同時出力も可能）等の処理を行う。出力対象となる画像が１次記憶装置８０３に格納されていない場合には、ＨＤＤ８０７に格納されている出力対象画像データを２次圧縮／伸張部８０６で伸張し、伸張後のデータを１次記憶装置８０３に書き込んでから、以下、上述の画像出力動作を行う。
【００３１】
また、前記で説明した印字モードにおいて、任意のスタンプ用イメージはユーザーが必要に応じて登録できるように構成されている。スタンプイメージ登録モードになるとスキャナ５０７からの画像を上述のＨＤＤ８０７に登録しておき、後で、ユーザが必要なスタンプイメージを選択するとこのスタンプイメージデータがＨＤＤ８０７から読み出されてＭＳＵ合成部７０９に送られて原稿画像に合成される。
【００３２】
本来、原稿画像１枚に対して画像形成枚数が１枚の場合は、あえて画像データを画像メモリに記憶する必要はないが、要求する画像形成枚数が複数部の場合は、毎回スキャンする必要がなくなること、あるいは、転写紙ジャム等が発生した場合でも、再度原稿を読み込ませる必要がないことを考慮して、スキャンして読み込んだ画像は無条件に画像メモリ８０３及びＨＤＤ８０７に保存するようになっている。
【００３３】
具体例を図１０を参照して説明する。
【００３４】
図１０において原稿画像１００１はＡ１サイズとする。この原稿画像１００１をコピーする場合、濃度が全てにおいて均一であれば、画像濃度を確認する部分としてどこでも問題はないが、特に注意したい部分が例えば上から４，５行目辺りだとすると、その部分を指定して画像濃度を確認するために、画像開始位置を指定する。すなわち、図１０において符号１００２で示すように原稿画像１００１の先端から符号１００３で示す長さ下がった部分から長さ１００４分の画像をコピーすることにより画像濃度を確認することができる。そのためには図３の試しコピーキー３１５を押下する。これにより、これから画像確認を実施することが指定される。すると、図４の子画面が表示され、画像開始位置の指定キー４０１を押下することによりテンキー群４０５からの開始位置の指定が可能となる。
【００３５】
すなわち、テンキー群４０５から例えば１００を入力した場合、原稿画像１００１の先端から１００ｍｍの位置から規定長１００４を画像形成する。規定長は最低搬送長、例えば用紙を搬送する場合に、最低限用紙の搬送を可能とする各ローラ間の搬送可能距離でも良い。指定した後は設定キー４０４を押下すれば試しコピーとしての設定は終了となる。この状態で、画像形成モードをセットしても良いし、試しコピーモードを設定する前に画像形成モードを設定しても良い。いずれにしろ、画像形成モードを設定して原稿をセットすることにより試しコピーモードが開始する。試しコピーモードでは、設定した画像形成モードにより指定した画像開始位置から規定長１００４分の画像のみを形成する。しかし、原稿画像は全て読み取られ、画像メモリ（８０３あるいは８０４）に保存されている。
【００３６】
試しコピーによって確認した状態で良ければ、スタートキー（プリントキー）２０５を押下する。これにより指定したセット枚数分のコピーが作成される。もし、スタートキー２０５を押下せずに、再度、画像形成モードを設定した場合は、再度の試しコピーモードとして画像確認モードを実行する。ただし、原稿画像は既に読み込んでおり、読み込み時のみ処理可能なモードを変更した場合は、図３のメッセージ３２０のように原稿を再度読み込ませてくださいと表示することにより、原稿画像を再度読み込ませ、試しコピーモードを実行する。読み込み時には必要でないモードを変更した場合は、既に読み込んでいる原稿画像に対して、修正したモードにより画像書き込みを実施することができるため、原稿画像を再度読み込むことなく、再度の試しコピーを実行することが可能となる。最終的に画像確認として良ければ、スタートキー２０５を押下する。これにより指定したセット枚数分の画像形成動作が実行でき、試しコピーモードは自動的に解除される。
【００３７】
以上のようにして試しコピーを実施することにより、指定した部分での画像確認を可能とし、ミスコピーの低減を図ることができるとともに、操作性の向上も図ることができる。
【００３８】
また、以下のように操作することも可能である。
【００３９】
すなわち、試しコピーモードにおいて、設定した画像形成モードの内、濃度、倍率のみ有効として指定した画像開始位置から１００４の長さ分の画像のみを形成する。これは、例えば、指定したエリア以外を消去する外消去モード、指定したエリアを消去する内消去モード、指定した部分を移動する移動モード、綴じ代部分を作成する綴じ代モード等が設定されていると、指定した画像確認したい部分が必ずしも画像形成されるかどうかが保証できない場合があるためである。よって、指定されたモードのうち濃度と倍率のみ有効として指定した部分を画像確認するための試しコピー動作を実行する。この場合、試しコピー動作に関わらず原稿画像は全て読み取り、メモリに保存する。ここで、問題があり、画像確認をしたい部分を指定する際には読み込み原稿サイズが不明のため実際に指定した部分の画像確認が可能かどうかは原稿を通紙し終わるまで判断がつかない。原稿を通紙した結果、指定した部分の画像確認が妥当でない場合は、敢えて画像確認のための試しコピー動作を実行する必要はない。
【００４０】
例えば画像確認したい部分として原稿先端から４００ｍｍの部分から１００４の長さ分、例えば２１０ｍｍ分の画像を確認するように指定したとすると、試しコピー動作で画像形成するのは原稿画像先端から４００ｍｍ〜６１０ｍｍとなる。しかしながら、原稿を読み込んだ場合、例えばＡ４縦原稿だとすると原稿長は２９７ｍｍとなり、画像確認したい部分４００ｍｍ〜６１０ｍｍは原稿外の部分となり、画像確認動作を実行しても意味がなくなる。
【００４１】
妥当性の判断とは、指定した部分が原稿内に収まるかどうかを判断することとすると、画像確認するために指定した部分が妥当かどうかを判断し、妥当でない場合は画像確認動作としているのでコピー動作を実行することなく、原稿読み込み完了時点で中断し、図３のメッセージ表示部分３２０にメッセージとして“指定した部分が正しくありません。設定し直してください”等のメッセージを表示する。このように処理することにより、無駄な画像形成動作を防止できる。
【００４２】
指定した部分が妥当で、試しコピーにて確認した状態で良ければ、スタートキーを押下することにより指定したセット枚数分のコピーを画像形成する。もし、スタートキーを押下せずに、再度、画像形成モードを設定した場合は、再度の試しコピーモードとして画像確認モードを実行する。ただし、原稿画像は既に読み込んでおり、読み込み時のみ処理可能なモードを変更した場合は、図３のメッセージ表示部分３２０に“原稿を再度読み込ませてください”とのメッセージを表示することにより、原稿画像を再度読み込ませ、試しコピーモードを実行させることができる。
【００４３】
読み込み時には必要でないモードを変更した場合は、前述の場合と同様に、既に読み込んでいる原稿画像に対して、修正したモードにより画像書き込みを実施できるため、原稿画像を再度読み込むことなく、再度の試しコピーが実行できる。そして、最終的に画像確認として良ければ、スタートキー２０５を押下することによって指定したセット枚数分の画像形成動作を実行し、試しコピーモードは自動的に解除される。
【００４４】
【発明の効果】
以上のように本発明によれば、原稿画像をコピーする場合や、入力されたもしくは取り込んだ画像情報をプリントアウトする場合に、画像仕上がり具合を確認するため、ユーザが特に重点的に確認したい部分を指定して特定部分での画像仕上がりを確認することができる。その際、再度の入力や原稿の読み直しが不要になり、さらに、記憶した画像情報に基づいて異なるモードで画像形成し、出力することができる。
【図面の簡単な説明】
【図１】本発明の実施形態に係る画像形成装置の概略図である。
【図２】図１の操作部の概略図である。
【図３】図２の操作部のＬＣＤ表示部の概略図である。
【図４】図３のＬＣＤ表示部の試しコピーキーを押下した場合の子画面の表示状態を示す図である。
【図５】本発明の画像形成装置の電気的構成の概略を示すブロック図である。
【図６】図５におけるＩＰＵの概略構成を示すブロック図である。
【図７】図６における第２の画像処理部およびＭＳＵとの関係を示すブロック図である。
【図８】スキャナで読み込んだ画像データをメモリに格納する動作を説明するためのブロック図である。
【図９】ＨＤから画像データを読み込み、メモリに保存し、伸張、変倍をして出力する動作を説明するためのブロック図である。
【図１０】試しコピーの動作を説明するための説明図である。
【符号の説明】
１０１  操作部
２０１  液晶表示パネル
２０２  テンキー
２０５  プリントキー（スタートキー）
３１５  試しコピーキー
４０１  試しコピー開始位置指定キー
４０２  表示部
４０３  解除キー
４０４  設定キー
４０５  テンキー群
５０１  メインコントローラ（ＭＣＵ）
５０２  画像処理ユニット（ＩＰＵ）
６０５  第２の画像処理部
６０６  画像メモリコントローラ（ＭＳＵ）
６０７  ＣＰＵ
８０３  画像メモリ（ＤＲＡＭ）
８０７  ＨＤＤ
【図１】
0004104275.tif 000002
【図２】
0004104275.tif 000003
【図３】
0004104275.tif 000004
【図４】
0004104275.tif 000005
【図５】
0004104275.tif 000006
【図６】
0004104275.tif 000007
【図７】
0004104275.tif 000008
【図８】
0004104275.tif 000009
【図９】
0004104275.tif 000010
【図１０】
0004104275.tif 000011